(57)【要約】本発明はユーザ情報通知方法、システムおよび装置を開示している。移動管理エンティティ（ＭＭＥ）はユーザ端末（ＵＥ）の無線アクセス技術（ＲＡＴ）／周波数選択（Ｆｒｅｑｕｅｎｃｙ  Ｓｅｌｅｃｔｉｏｎ）優先度情報を取得し、当該情報を進化基地局（ｅＮｏｄｅＢ）に通知する。本発明に係る方法、システムおよび装置によれば、ｅＮｏｄｅＢはＵＥのＲＡＴ／Ｆｒｅｑｕｅｎｃｙ  Ｓｅｌｅｃｔｉｏｎ優先度情報を取得し、該情報に基づいて無線リソース管理を行って、システム性能を向上させる。
2011520364.tif 000002
【特許請求の範囲】
【請求項１】
ユーザ情報通知方法であって、
移動管理エンティティ（ＭＭＥ）が取得されたユーザ端末（ＵＥ）の無線アクセス技術（ＲＡＴ）／周波数選択（Ｆｒｅｑｕｅｎｃｙ  Ｓｅｌｅｃｔｉｏｎ）優先度情報を進化基地局（ｅＮｏｄｅＢ）に通知するステップ、
を含むことを特徴とする方法。
【請求項２】
前記ＭＭＥで取得されたＲＡＴ／Ｆｒｅｑｕｅｎｃｙ  Ｓｅｌｅｃｔｉｏｎ優先度情報は、ホーム加入者サーバ（ＨＳＳ）から受信されたＲＡＴ／Ｆｒｅｑｕｅｎｃｙ  Ｓｅｌｅｃｔｉｏｎ優先度情報である、ことを特徴とする請求項１に記載の方法。
【請求項３】
前記ＭＭＥが取得されたＵＥのＲＡＴ／Ｆｒｅｑｕｅｎｃｙ  Ｓｅｌｅｃｔｉｏｎ優先度情報をｅＮｏｄｅＢに通知するステップは、
前記ＵＥが初期アタッチ（ａｔｔａｃｈ）過程、追跡エリア更新（ＴＡＵ）過程を実行し、またはアイドル（ＩＤＬＥ）状態からアクティブ（Ａｃｔｉｖｅ）状態に遷移するとき、前記ＭＭＥが初期コンテキスト設定要求（Ｉｎｉｔｉａｌ  Ｃｏｎｔｅｘｔ  Ｓｅｔｕｐ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知し、
前記ＵＥがＡｃｔｉｖｅ状態にあるとき、前記ＭＭＥがユーザ端末コンテキスト修正要求（ＵＥ  Ｃｏｎｔｅｘｔ  Ｍｏｄｉｆｉｃａｔｉｏｎ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知するステップ、
を含むことを特徴とする請求項１または２に記載の方法。
【請求項４】
前記ＭＭＥがＩｎｉｔｉａｌ  Ｃｏｎｔｅｘｔ  Ｓｅｔｕｐ  Ｒｅｑｕｅｓｔメッセージを介して、前記取得されたＲＡＴ／Ｆｒｅｑｕｅｎｃｙ  Ｓｅｌｅｃｔｉｏｎ優先度情報を前記ｅＮｏｄｅＢに通知するステップは、
前記ＭＭＥが前記ｅＮｏｄｅＢへＲＡＴ／周波数選択優先度（Ｆｒｅｑｕｅｎｃｙ  Ｓｅｌｅｃｔｉｏｎ  Ｐｒｉｏｒｉｔｙ）パラメータ付きのＩｎｉｔｉａｌ  Ｃｏｎｔｅｘｔ  Ｓｅｔｕｐ  Ｒｅｑｕｅｓｔメッセージを送信することを含み、
前記ＭＭＥがＵＥ  Ｃｏｎｔｅｘｔ  Ｍｏｄｉｆｉｃａｔｉｏｎ  Ｒｅｑｕｅｓｔメッセージを介して、前記取得されたＲＡＴ／Ｆｒｅｑｕｅｎｃｙ  Ｓｅｌｅｃｔｉｏｎ優先度情報を前記ｅＮｏｄｅＢに通知するステップは、
前記ＭＭＥが前記ｅＮｏｄｅＢへＲＡＴ／Ｆｒｅｑｕｅｎｃｙ  Ｓｅｌｅｃｔｉｏｎ  Ｐｒｉｏｒｉｔｙパラメータ付きのＵＥ  Ｃｏｎｔｅｘｔ  Ｍｏｄｉｆｉｃａｔｉｏｎ  Ｒｅｑｕｅｓｔメッセージを送信するステップ、
を含むことを特徴とする請求項３に記載の方法。
【請求項５】
前記ｅＮｏｄｅＢは受信されたＵＥのＲＡＴ／Ｆｒｅｑｕｅｎｃｙ  Ｓｅｌｅｃｔｉｏｎ優先度情報を保存するステップをさらに含むことを特徴とする請求項１に記載の方法。
【請求項６】
ユーザ情報通知システムであって、
取得されたユーザ端末（ＵＥ）の無線アクセス技術（ＲＡＴ）／周波数選択（Ｆｒｅｑｕｅｎｃｙ  Ｓｅｌｅｃｔｉｏｎ）優先度情報をｅＮｏｄｅＢに通知する移動管理エンティティ（ＭＭＥ）と、
前記ＭＭＥからのＵＥのＲＡＴ／Ｆｒｅｑｕｅｎｃｙ  Ｓｅｌｅｃｔｉｏｎ優先度情報を受信する進化基地局（ｅＮｏｄｅＢ）と、
を含むことを特徴とするシステム。
【請求項７】
前記ＭＭＥは、
ＵＥのＲＡＴ／Ｆｒｅｑｕｅｎｃｙ  Ｓｅｌｅｃｔｉｏｎ優先度情報を取得する取得ユニットと、
前記取得されたＵＥのＲＡＴ／Ｆｒｅｑｕｅｎｃｙ  Ｓｅｌｅｃｔｉｏｎ優先度情報を前記ｅＮｏｄｅＢに通知し、ここで、前記ＵＥが初期アタッチ（ａｔｔａｃｈ）過程、追跡エリア更新（ＴＡＵ）過程を実行し、またはアイドル（ＩＤＬＥ）状態からアクティブ（Ａｃｔｉｖｅ）状態に遷移するとき、初期コンテキスト設定要求（Ｉｎｉｔｉａｌ  Ｃｏｎｔｅｘｔ  Ｓｅｔｕｐ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知し、前記ＵＥがＡｃｔｉｖｅ状態にあるとき、ユーザ端末コンテキスト修正要求（ＵＥ  Ｃｏｎｔｅｘｔ  Ｍｏｄｉｆｉｃａｔｉｏｎ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知する通知ユニットと、
を含むことを特徴とする請求項６に記載のシステム。
【請求項８】
ユーザ情報通知装置であって、
ユーザ端末（ＵＥ）の無線アクセス技術（ＲＡＴ）／周波数選択（Ｆｒｅｑｕｅｎｃｙ  Ｓｅｌｅｃｔｉｏｎ）優先度情報を取得する取得ユニットと、
前記取得されたＵＥのＲＡＴ／Ｆｒｅｑｕｅｎｃｙ  Ｓｅｌｅｃｔｉｏｎ優先度情報を進化基地局（ｅＮｏｄｅＢ）に通知する通知ユニットと、
を含むことを特徴とする装置。
【請求項９】
前記通知ユニットは、
前記ＵＥが初期アタッチ（ａｔｔａｃｈ）過程、追跡エリア更新（ＴＡＵ）過程を実行し、またはアイドル（ＩＤＬＥ）状態からアクティブ（Ａｃｔｉｖｅ）状態に遷移するとき、初期コンテキスト設定要求（Ｉｎｉｔｉａｌ  Ｃｏｎｔｅｘｔ  Ｓｅｔｕｐ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知する第１通知サブユニットと、
前記ＵＥがＡｃｔｉｖｅ状態にあるとき、ユーザ端末コンテキスト修正要求（ＵＥ  Ｃｏｎｔｅｘｔ  Ｍｏｄｉｆｉｃａｔｉｏｎ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知する第２通知サブユニットと、
を含むことを特徴とする請求項８に記載の装置。
【発明の詳細な説明】
【技術分野】
【０００１】
本発明は移動通信技術に関し、特に、移動通信システムにおけるユーザ情報通知方法、システムおよび装置に関する。
【背景技術】
【０００２】
従来の第３世代パートナーシップ
【０００３】
プロジェクト（３ＧＰＰ：３ｒｄ−Ｇｅｎｅｒａｔｉｏｎ  Ｐａｒｔｎｅｒｓｈｉｐ  Ｐｒｏｊｅｃｔ）システムにおいて、無線ネットワークコントローラ（ＲＮＣ：Ｒａｄｉｏ  Ｎｅｔｗｏｒｋ  Ｃｏｎｔｒｏｌｌｅｒ）／基地局コントローラ（ＢＳＣ：Ｂａｓｅ  Ｓｔａｔｉｏｎ  Ｃｏｎｔｒｏｌｌｅｒ）は、保存されたユーザ端末（ＵＥ：Ｕｓｅｒ  Ｅｑｕｉｐｍｅｎｔ）の国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）を分析することにより、無線リソース管理（ＲＲＭ：Ｒａｄｉｏ  Ｒｅｓｏｕｒｃｅ  Ｍａｎａｇｅｍｅｎｔ）を行うことで、ＵＥがどの周波数層を優先的に利用して処理を行うかを決定して、相応の無線アクセス過程を完成することができる。例えば、ＩＭＳＩに基づくハンドオーバー（ＩＭＳＩ  Ｂａｓｅｄ  Ｈａｎｄｏｖｅｒ）過程中に、ＲＮＣ／ＢＳＣはＵＥのＩＭＳＩを分析することにより、ＵＥのサブスクリプション情報を取得して、さらに該サブスクリプション情報に基づいて無線アクセスに必要なリソース又はパラメータなどを該ＵＥに割り当てて、無線アクセス過程を完成することができる。
【０００４】
従来のシステムアーキテクチャエボリューション（ＳＡＥ：Ｓｙｓｔｅｍ  Ａｒｃｈｉｔｅｃｔｕｒｅ  Ｅｖｏｌｕｔｉｏｎ）又はロングタームエボリューション（ＬＴＥ：Ｌｏｎｇ  Ｔｅｒｍ  Ｅｖｏｌｕｔｉｏｎ）システムもＵＥのサブスクリプション情報に基づく無線リソース管理（ＲＲＭ：Ｒａｄｉｏ  Ｒｅｓｏｕｒｃｅ  Ｍａｎａｇｅｍｅｎｔ）ストラテジーを支持する。例えば、Ｅ−ＵＴＲＮＡ（Ｅｖｏｌｕｔｉｏｎ−Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｅｓｔｒｉａｌ  Ａｃｃｅｓｓ  Ｎｅｔｗｏｒｋ）において、進化基地局（ｅＮｏｄｅＢ）はＵＥのサブスクリプション情報内の無線アクセス技術（ＲＡＴ：Ｒａｄｉｏ  Ａｃｃｅｓｓ  Ｔｅｃｈｎｏｌｏｇｙ）／周波数選択（Ｆｒｅｑｕｅｎｃｙ  Ｓｅｌｅｃｔｉｏｎ）優先度情報に基づいて、ＵＥのセル再選択の優先度を決定し、リダイレクション接続モードでのＵＥを異なる周波数層又は異なるＲＡＴに決定することができる。
【０００５】
しかし、セキュリティを考慮して、ｅＮｏｄｅＢにユーザのＩＭＳＩ情報を保存しないため、ＩＭＳＩを分析することによりＵＥのＲＡＴ／Ｆｒｅｑｕｅｎｃｙ  Ｓｅｌｅｃｔｉｏｎ優先度情報を得ることはできない。従って、ｅＮｏｄｅＢは移動管理エンティティ（ＭＭＥ：Ｍｏｂｉｌｅ  Ｍａｎａｇｅｍｅｎｔ  Ｅｎｔｉｔｙ）のようなほかのエンティティによって、それにＵＥのＲＡＴ／Ｆｒｅｑｕｅｎｃｙ  Ｓｅｌｅｃｔｉｏｎ優先度情報を通知することしかできない。
【０００６】
従来技術では、初期アタッチ（ａｔｔａｃｈ）過程中に、ホーム加入者サーバ（ＨＳＳ：Ｈｏｍｅ  Ｓｕｂｓｃｒｉｂｅｒ  Ｓｅｒｖｅｒ）によりＵＥのＲＡＴ／Ｆｒｅｑｕｅｎｃｙ  Ｓｅｌｅｃｔｉｏｎ優先度情報をＭＭＥに提供する。ＭＭＥは該情報を受信した後で、ＵＥがノンローミング状態にあると確定した場合、該情報を直接に保存し、ＵＥがローミング状態にあると確定した場合、まず、ＵＥの現在所属の訪問ネットワークのストラテジーに基づいて該情報を修正してから、保存を行う。図１は従来の初期ａｔｔａｃｈの過程を示す図である。図１に示すように、ステップ１０で、ＨＳＳはＭＭＥへＵＥのＲＡＴ／Ｆｒｅｑｕｅｎｃｙ  Ｓｅｌｅｃｔｉｏｎ優先度情報付きの加入者データ挿入（Ｉｎｓｅｒｔ  Ｓｕｂｓｃｒｉｂｅｒ  Ｄａｔａ）メッセージを送信する。
【０００７】
図１に示す方式によって、ＭＭＥはＵＥのＲＡＴ／Ｆｒｅｑｕｅｎｃｙ  Ｓｅｌｅｃｔｉｏｎ優先度情報を取得することができるが、上記の説明からわかるように、本当にこれらの情報を必要とするのはｅＮｏｄｅＢである。しかし、ＭＭＥが自局で取得されたＵＥのＲＡＴ／Ｆｒｅｑｕｅｎｃｙ  Ｓｅｌｅｃｔｉｏｎ優先度情報を如何にｅＮｏｄｅＢに通知するかについては、従来技術に記載されていない。
【０００８】
同時に、事業者によってＨＳＳ内のＵＥサブスクリプション情報が修正された後にも、ＨＳＳからＭＭＥへＩｎｓｅｒｔ  Ｓｕｂｓｃｒｉｂｅｒ  Ｄａｔａメッセージを送信して、ＵＥのＲＡＴ／Ｆｒｅｑｕｅｎｃｙ  Ｓｅｌｅｃｔｉｏｎ優先度情報が既に変化したことをＭＭＥに通知するが、ＭＭＥは同様に該情報を保存するだけで、ほかの過程をトリガーしない。つまり、従来技術では、このような場合で、ＭＭＥが修正後のＵＥのＲＡＴ／Ｆｒｅｑｕｅｎｃｙ  Ｓｅｌｅｃｔｉｏｎ優先度情報を如何にｅＮｏｄｅＢに通知するかについても、相応の解決方式を提供していない。
【０００９】
上記からわかるように、従来技術では、ＭＭＥからの通知メッセージを得られないため、ｅＮｏｄｅＢが必要なＵＥのＲＡＴ／Ｆｒｅｑｕｅｎｃｙ  Ｓｅｌｅｃｔｉｏｎ優先度情報を取得できず、該情報に基づいて無線リソース管理を行うこともできなくなって、システム性能に影響を与えてしまう。
【発明の概要】
【発明が解決しようとする課題】
【００１０】
本発明は上記に鑑みてなされたものであって、ｅＮｏｄｅＢがＵＥのＲＡＴ／Ｆｒｅｑｕｅｎｃｙ  Ｓｅｌｅｃｔｉｏｎ優先度情報を取得できるユーザ情報通知方法を提供することを主な目的とする。
【００１１】
また、本発明はｅＮｏｄｅＢがＵＥのＲＡＴ／Ｆｒｅｑｕｅｎｃｙ  Ｓｅｌｅｃｔｉｏｎ優先度情報を取得できるユーザ情報通知システムを提供することを他の目的とする。
【００１２】
また、本発明はｅＮｏｄｅＢがＵＥのＲＡＴ／Ｆｒｅｑｕｅｎｃｙ  Ｓｅｌｅｃｔｉｏｎ優先度情報を取得できるユーザ情報通知装置を提供することを別の目的とする。
【課題を解決するための手段】
【００１３】
上記の目的を達成するために、本発明の解決方案は下記のように実現される。
【００１４】
ユーザ情報通知方法であって、移動管理エンティティ（ＭＭＥ）が取得されたユーザ端末（ＵＥ）の無線アクセス技術（ＲＡＴ）／周波数選択（Ｆｒｅｑｕｅｎｃｙ  Ｓｅｌｅｃｔｉｏｎ）優先度情報を進化基地局（ｅＮｏｄｅＢ）に通知する、ことを含む。
【００１５】
ユーザ情報通知システムであって、取得されたユーザ端末（ＵＥ）の無線アクセス技術（ＲＡＴ）／周波数選択（Ｆｒｅｑｕｅｎｃｙ  Ｓｅｌｅｃｔｉｏｎ）優先度情報をｅＮｏｄｅＢに通知する移動管理エンティティ（ＭＭＥ）と、前記ＭＭＥからのＵＥのＲＡＴ／Ｆｒｅｑｕｅｎｃｙ  Ｓｅｌｅｃｔｉｏｎ優先度情報を受信する進化基地局（ｅＮｏｄｅＢ）と、を含む。
【００１６】
ユーザ情報通知装置であって、ユーザ端末（ＵＥ）の無線アクセス技術（ＲＡＴ）／周波数選択（Ｆｒｅｑｕｅｎｃｙ  Ｓｅｌｅｃｔｉｏｎ）優先度情報を取得する取得ユニットと、前記取得されたＵＥのＲＡＴ／Ｆｒｅｑｕｅｎｃｙ  Ｓｅｌｅｃｔｉｏｎ優先度情報を進化基地局（ｅＮｏｄｅＢ）に通知する通知ユニットと、を含む。
【発明の効果】
【００１７】
上記からわかるように、本発明に係る解決方案によれば、ｅＮｏｄｅＢはＭＭＥからの通知メッセージを受信することにより、ＵＥのＲＡＴ／Ｆｒｅｑｕｅｎｃｙ  Ｓｅｌｅｃｔｉｏｎ優先度情報を取得し、さらに該情報に基づいて無線リソース管理を行うことで、システム性能を向上させることができる。
【図面の簡単な説明】
【００１８】
【図１】従来の初期ａｔｔａｃｈ過程を示す図である。
【図２】本発明に係るユーザ情報通知方法の一実施例のフローチャートである。
【図３】本発明に係るユーザ情報通知方法の他の実施例のフローチャートである。
【図４】本発明に係るユーザ情報通知システムの実施例の構成を示す図である。
【図５】本発明に係るユーザ情報通知装置の実施例の構成を示す図である。
【発明を実施するための形態】
【００１９】
本発明の目的、技術案とメリットをさらに明確にするために、以下、図面を参照して実施例を挙げながら本発明をさらに詳しく説明する。
【００２０】
従来技術の問題点に対して、本発明は新たなユーザ情報通知方法を提出して、ＭＭＥにより、取得されたＵＥのＲＡＴ／Ｆｒｅｑｕｅｎｃｙ  Ｓｅｌｅｃｔｉｏｎ優先度情報をｅＮｏｄｅＢに通知する。具体的な通知方法は、ＵＥが初期ａｔｔａｃｈ過程、追跡エリア更新（ＴＡＵ：Ｔｒａｃｋ  Ａｒｅａ  Ｕｐｄａｔｅ）過程を実行し、またはアイドル（ＩＤＬＥ）状態からアクティブ（Ａｃｔｉｖｅ）状態に遷移するとき、ＭＭＥが初期コンテキスト設定要求（Ｉｎｉｔｉａｌ  Ｃｏｎｔｅｘｔ  Ｓｅｔｕｐ  Ｒｅｑｕｅｓｔ）メッセージを介して、取得されたＵＥのＲＡＴ／Ｆｒｅｑｕｅｎｃｙ  Ｓｅｌｅｃｔｉｏｎ優先度情報をｅＮｏｄｅＢに通知し、ＵＥがアクティブ状態にある場合、ＭＭＥがユーザ端末コンテキスト修正要求（ＵＥ  Ｃｏｎｔｅｘｔ  Ｍｏｄｉｆｉｃａｔｉｏｎ  Ｒｅｑｕｅｓｔ）メッセージを介して、取得されたＵＥのＲＡＴ／Ｆｒｅｑｕｅｎｃｙ  Ｓｅｌｅｃｔｉｏｎ優先度情報をｅＮｏｄｅＢに通知することを含む。
【００２１】
以下、具体的な実施例を介して本発明に係る方案をさらに詳しく説明する。
【００２２】
図２は本発明に係るユーザ情報通知方法の一実施例のフローチャートである。図２に示すように、該方法は以下のステップを含む。
【００２３】
ステップ２０１で、ＭＭＥはｅＮｏｄｅＢへＩｎｉｔｉａｌ  Ｃｏｎｔｅｘｔ  Ｓｅｔｕｐ  Ｒｅｑｕｅｓｔメッセージを送信する。
【００２４】
ＵＥが初期ａｔｔａｃｈ過程またはＴＡＵ過程を実行するとき、ＭＭＥはＨＳＳと情報のやり取りを行って、ＨＳＳからのＩｎｓｅｒｔ  Ｓｕｂｓｃｒｉｂｅｒ  Ｄａｔａメッセージを受信することにより、付けられているＵＥのＲＡＴ／Ｆｒｅｑｕｅｎｃｙ  Ｓｅｌｅｃｔｉｏｎ優先度情報を取得する。その後、本発明の実施例に係る方法に従って、ＭＭＥはｅＮｏｄｅＢへＲＡＴ／Ｆｒｅｑｕｅｎｃｙ  Ｓｅｌｅｃｔｉｏｎ優先度（Ｐｒｉｏｒｉｔｙ）パラメータ付きのＩｎｉｔｉａｌ  Ｃｏｎｔｅｘｔ  Ｓｅｔｕｐ  Ｒｅｑｕｅｓｔメッセージを送信して、ＵＥのＲＡＴ／Ｆｒｅｑｕｅｎｃｙ  Ｓｅｌｅｃｔｉｏｎ優先度情報をｅＮｏｄｅＢに通知する。
【００２５】
また、ＵＥがＩＤＬＥ状態にあり、サービス要求（Ｓｅｒｖｉｃｅ  Ｒｅｑｕｅｓｔ）過程を開始し、自局の状態をＩＤＬＥ状態からＡｃｔｉｖｅ状態に遷移するときも、ＭＭＥは予めＨＳＳから取得されたＵＥのＲＡＴ／Ｆｒｅｑｕｅｎｃｙ  Ｓｅｌｅｃｔｉｏｎ優先度情報をｅＮｏｄｅＢに通知してよく、即ち、ｅＮｏｄｅＢへＲＡＴ／Ｆｒｅｑｕｅｎｃｙ  Ｓｅｌｅｃｔｉｏｎ  Ｐｒｉｏｒｉｔｙパラメータ付きのＩｎｉｔｉａｌ  Ｃｏｎｔｅｘｔ  Ｓｅｔｕｐ  Ｒｅｑｕｅｓｔメッセージを送信してよい。
【００２６】
ここで言うＭＭＥにおいて予め取得されたＵＥのＲＡＴ／Ｆｒｅｑｕｅｎｃｙ  Ｓｅｌｅｃｔｉｏｎ優先度情報は、事業者によってＨＳＳ内のＵＥサブスクリプション情報が修正された後に、ＨＳＳからＩｎｓｅｒｔ  Ｓｕｂｓｃｒｉｂｅｒ  Ｄａｔａ過程を開始して、修正後のＵＥのＲＡＴ／Ｆｒｅｑｕｅｎｃｙ  Ｓｅｌｅｃｔｉｏｎ優先度情報をＭＭＥへ通知したものであってよい。ＭＭＥは該情報を取得した後で、ＵＥがＩＤＬＥ状態にあると確定した場合、該情報をｅＮｏｄｅＢに通知しなく、ＵＥがＳｅｒｖｉｃｅ  Ｒｅｑｕｅｓｔ過程を開始して、自局の状態をＩＤＬＥ状態からＡｃｔｉｖｅ状態に遷移すると確定した場合、該情報を本実施例に係る方法に従ってＩｎｉｔｉａｌ  Ｃｏｎｔｅｘｔ  Ｓｅｔｕｐ  Ｒｅｑｕｅｓｔメッセージを介して、ｅＮｏｄｅＢに通知し、ＵＥがＡｃｔｉｖｅ状態にあると確定した場合、後続の図３に示す方法で処理する。
【００２７】
ステップ２０２で、ｅＮｏｄｅＢはＭＭＥへ初期コンテキスト設定応答（Ｉｎｉｔｉａｌ  Ｃｏｎｔｅｘｔ  Ｓｅｔｕｐ  Ｒｅｓｐｏｎｓｅ）メッセージをフィードバックする。
【００２８】
ｅＮｏｄｅＢは受信されたＵＥのＲＡＴ／Ｆｒｅｑｕｅｎｃｙ  Ｓｅｌｅｃｔｉｏｎ優先度情報を保存し、ＭＭＥへＩｎｉｔｉａｌ  Ｃｏｎｔｅｘｔ  Ｓｅｔｕｐ  Ｒｅｓｐｏｎｓｅメッセージをフィードバックする。
【００２９】
説明すべきことは、上記のＩｎｉｔｉａｌ  Ｃｏｎｔｅｘｔ  Ｓｅｔｕｐ  ＲｅｑｕｅｓｔメッセージおよびＩｎｉｔｉａｌ  Ｃｏｎｔｅｘｔ  Ｓｅｔｕｐ  Ｒｅｓｐｏｎｓｅメッセージはいずれも従来技術に既にあるメッセージであり、本発明の実施例は従来技術と比べて、Ｉｎｉｔｉａｌ  Ｃｏｎｔｅｘｔ  Ｓｅｔｕｐ  Ｒｅｑｕｅｓｔメッセージに１つのＲＡＴ／Ｆｒｅｑｕｅｎｃｙ  Ｓｅｌｅｃｔｉｏｎ  Ｐｒｉｏｒｉｔｙパラメータが付けられる点のみで異なる。
【００３０】
下記の表に示すように、表１は従来プロトコルにおけるＩｎｉｔｉａｌ  Ｃｏｎｔｅｘｔ  Ｓｅｔｕｐ  Ｒｅｑｕｅｓｔメッセージの構成であり、表２は従来プロトコルにおけるＩｎｉｔｉａｌ  Ｃｏｎｔｅｘｔ  Ｓｅｔｕｐ  Ｒｅｓｐｏｎｓｅメッセージの構成である。表１からわかるように、従来Ｉｎｉｔｉａｌ  Ｃｏｎｔｅｘｔ  Ｓｅｔｕｐ  Ｒｅｑｕｅｓｔメッセージの構成にはＵＥのＲＡＴ／Ｆｒｅｑｕｅｎｃｙ  Ｓｅｌｅｃｔｉｏｎ優先度情報に関連する内容が定義されていない。本発明の実施例では、表１に示すＩｎｉｔｉａｌ  Ｃｏｎｔｅｘｔ  Ｓｅｔｕｐ  Ｒｅｑｕｅｓｔメッセージの構成を拡張し、ＩＥ／Ｇｒｏｕｐ  Ｎａｍｅに対応する欄の下に、即ち、表１に示すＵＥ  Ｒａｄｉｏ  Ｃａｐａｂｉｌｉｔｙパラメータの後にＵＥのＲＡＴ／Ｆｒｅｑｕｅｎｃｙ  Ｓｅｌｅｃｔｉｏｎ優先度情報を付けるためのＲＡＴ／Ｆｒｅｑｕｅｎｃｙ  Ｓｅｌｅｃｔｉｏｎ  Ｐｒｉｏｒｉｔｙパラメータを追加することができる。
【００３１】
【表１】
2011520364.tif 000003
【００３２】
【表２】
2011520364.tif 000004
【００３３】
図３は本発明に係るユーザ情報通知方法の他の実施例のフローチャートである。図３に示すように、該方法は以下のステップを含む。
【００３４】
ステップ３０１で、ＭＭＥはｅＮｏｄｅＢへＵＥ  Ｃｏｎｔｅｘｔ  Ｍｏｄｉｆｉｃａｔｉｏｎ  Ｒｅｑｕｅｓｔメッセージを送信する。
【００３５】
事業者によってＨＳＳ内のＵＥのサブスクリプション情報が修正された後に、ＨＳＳはＩｎｓｅｒｔ  Ｓｕｂｓｃｒｉｂｅｒ  Ｄａｔａ過程を開始して、修正後のＵＥのＲＡＴ／Ｆｒｅｑｕｅｎｃｙ  Ｓｅｌｅｃｔｉｏｎ優先度情報をＭＭＥに通知する。すると、本発明の実施例に係る方法に従って、ＵＥがＡｃｔｉｖｅ状態にあると確定した場合に、ＭＭＥはユーザ端末コンテキスト修正（ＵＥ  Ｃｏｎｔｅｘｔ  Ｍｏｄｉｆｉｃａｔｉｏｎ）過程を介して、該情報をｅＮｏｄｅＢに通知し、即ち、ＲＡＴ／Ｆｒｅｑｕｅｎｃｙ  Ｓｅｌｅｃｔｉｏｎ  Ｐｒｉｏｒｉｔｙパラメータ付きのＵＥ  Ｃｏｎｔｅｘｔ  Ｍｏｄｉｆｉｃａｔｉｏｎ  ＲｅｑｕｅｓｔメッセージをｅＮｏｄｅＢへ送信する。
【００３６】
ステップ３０２で、ｅＮｏｄｅＢはＭＭＥへユーザ端末コンテキスト修正応答（ＵＥ  Ｃｏｎｔｅｘｔ  Ｍｏｄｉｆｉｃａｔｉｏｎ  Ｒｅｓｐｏｎｓｅ）メッセージをフィードバックする。
【００３７】
ｅＮｏｄｅＢは受信されたＵＥのＲＡＴ／Ｆｒｅｑｕｅｎｃｙ  Ｓｅｌｅｃｔｉｏｎ優先度情報を保存し、ＭＭＥへＵＥ  Ｃｏｎｔｅｘｔ  Ｍｏｄｉｆｉｃａｔｉｏｎ  Ｒｅｓｐｏｎｓｅメッセージをフィードバックする。
【００３８】
同様に、上記のＵＥ  Ｃｏｎｔｅｘｔ  Ｍｏｄｉｆｉｃａｔｉｏｎ  ＲｅｑｕｅｓｔメッセージおよびＵＥ  Ｃｏｎｔｅｘｔ  Ｍｏｄｉｆｉｃａｔｉｏｎ  Ｒｅｓｐｏｎｓｅメッセージはいずれも従来技術に既にあるメッセージであり、本発明の実施例は従来技術と比べて、ＵＥ  Ｃｏｎｔｅｘｔ  Ｍｏｄｉｆｉｃａｔｉｏｎ  Ｒｅｑｕｅｓｔメッセージに１つのＲＡＴ／Ｆｒｅｑｕｅｎｃｙ  Ｓｅｌｅｃｔｉｏｎ  Ｐｒｉｏｒｉｔｙパラメータが付けられる点のみで異なる。
【００３９】
下記の表に示すように、表３は従来プロトコルにおけるＵＥ  Ｃｏｎｔｅｘｔ  Ｍｏｄｉｆｉｃａｔｉｏｎ  Ｒｅｑｕｅｓｔメッセージの構成であり、表４は従来プロトコルにおけるＵＥ  Ｃｏｎｔｅｘｔ  Ｍｏｄｉｆｉｃａｔｉｏｎ  Ｒｅｓｐｏｎｓｅメッセージの構成である。表３からわかるように、従来ＵＥ  Ｃｏｎｔｅｘｔ  Ｍｏｄｉｆｉｃａｔｉｏｎ  Ｒｅｑｕｅｓｔメッセージの構成にはＵＥのＲＡＴ／Ｆｒｅｑｕｅｎｃｙ  Ｓｅｌｅｃｔｉｏｎ優先度情報に関連する内容が定義されていない。本発明の実施例では、表３に示すＩｎｉｔｉａｌ  Ｃｏｎｔｅｘｔ  Ｓｅｔｕｐ  Ｒｅｑｕｅｓｔメッセージの構成を拡張し、ＩＥ／Ｇｒｏｕｐ  Ｎａｍｅ欄の下に、即ち、表３に示すＳｅｃｕｒｉｔｙ  Ｉｎｆｏｒｍａｔｉｏｎパラメータの後にＵＥのＲＡＴ／Ｆｒｅｑｕｅｎｃｙ  Ｓｅｌｅｃｔｉｏｎ優先度情報を付けるためのＲＡＴ／Ｆｒｅｑｕｅｎｃｙ  Ｓｅｌｅｃｔｉｏｎ  Ｐｒｉｏｒｉｔｙパラメータを追加することができる。
【００４０】
【表３】
2011520364.tif 000005
【００４１】
【表４】
2011520364.tif 000006
【００４２】
上記の実施例に係る方法を採用することで、本発明のｅＮｏｄｅＢはどんな場合にあるにもかかわらず、ＵＥのＲＡＴ／  Ｆｒｅｑｕｅｎｃｙ  Ｓｅｌｅｃｔｉｏｎ優先度情報を取得することができる。
【００４３】
上記の方法に基づき、図４は本発明に係るユーザ情報通知システムの実施例の構成を示す図である。図４に示すように、該システムは、取得されたＵＥのＲＡＴ／Ｆｒｅｑｕｅｎｃｙ  Ｓｅｌｅｃｔｉｏｎ優先度情報をｅＮｏｄｅＢ４０２に通知するＭＭＥ４０１と、ＭＭＥ４０１からのＵＥのＲＡＴ／Ｆｒｅｑｕｅｎｃｙ  Ｓｅｌｅｃｔｉｏｎ優先度情報を受信するｅＮｏｄｅＢ４０２と、を含む。
【００４４】
ここで、ＭＭＥ４０１は、ＵＥのＲＡＴ／Ｆｒｅｑｕｅｎｃｙ  Ｓｅｌｅｃｔｉｏｎ優先度情報を取得する取得ユニット４０１１と、取得されたＵＥのＲＡＴ／Ｆｒｅｑｕｅｎｃｙ  Ｓｅｌｅｃｔｉｏｎ優先度情報をｅＮｏｄｅＢ４０２に通知する通知ユニット４０１２と、を含む。ＵＥが初期ａｔｔａｃｈ過程、ＴＡＵ過程を実行し、又はＩＤＬＥ状態からＡｃｔｉｖｅ状態に遷移するとき、通知ユニット４０１２は取得されたＲＡＴ／Ｆｒｅｑｕｅｎｃｙ  Ｓｅｌｅｃｔｉｏｎ優先度情報をＩｎｉｔｉａｌ  Ｃｏｎｔｅｘｔ  Ｓｅｔｕｐ  Ｒｅｑｕｅｓｔメッセージを介してｅＮｏｄｅＢ４０２に通知し、ＵＥがＡｃｔｉｖｅ状態にあるとき、通知ユニット４０１２は取得されたＲＡＴ／Ｆｒｅｑｕｅｎｃｙ  Ｓｅｌｅｃｔｉｏｎ優先度情報をＵＥ  Ｃｏｎｔｅｘｔ  Ｍｏｄｉｆｉｃａｔｉｏｎ  Ｒｅｑｕｅｓｔメッセージを介してｅＮｏｄｅＢ４０２に通知する。
【００４５】
図５は本発明に係るユーザ情報通知装置の実施例の構成を示す図である。図５に示すように、該装置は、ＵＥのＲＡＴ／Ｆｒｅｑｕｅｎｃｙ  Ｓｅｌｅｃｔｉｏｎ優先度情報を取得する取得ユニット４０１１と、取得されたＵＥのＲＡＴ／Ｆｒｅｑｕｅｎｃｙ  Ｓｅｌｅｃｔｉｏｎ優先度情報をｅＮｏｄｅＢ４０２に通知する通知ユニット４０１２と、を含む。
【００４６】
ここで、通知ユニット４０１２は具体的に、ＵＥが初期ａｔｔａｃｈ過程、ＴＡＵ過程を実行し、又はＩＤＬＥ状態からＡｃｔｉｖｅ状態に遷移するとき、Ｉｎｉｔｉａｌ  Ｃｏｎｔｅｘｔ  Ｓｅｔｕｐ  Ｒｅｑｕｅｓｔメッセージを介して、取得されたＲＡＴ／Ｆｒｅｑｕｅｎｃｙ  Ｓｅｌｅｃｔｉｏｎ優先度情報をｅＮｏｄｅＢ４０２に通知する第１通知サブユニット４０１２１と、ＵＥがＡｃｔｉｖｅ状態にあるとき、ＵＥ  Ｃｏｎｔｅｘｔ  Ｍｏｄｉｆｉｃａｔｉｏｎ  Ｒｅｑｕｅｓｔメッセージを介して、取得されたＲＡＴ／Ｆｒｅｑｕｅｎｃｙ  Ｓｅｌｅｃｔｉｏｎ優先度情報をｅＮｏｄｅＢ４０２に通知する第２通知サブユニット４０１２２と、含む。
【００４７】
図４および図５に示すシステムと装置の実施例の具体的な動作フローは、方法実施例における相応の説明を参照し、ここでは説明を省略する。
【００４８】
要するに、本発明に係る技術案によれば、ｅＮｏｄｅＢはＭＭＥからの通知メッセージを受信することにより、ＵＥのＲＡＴ／Ｆｒｅｑｕｅｎｃｙ  Ｓｅｌｅｃｔｉｏｎ優先度情報を取得し、さらに該情報に基づいて無線リソース管理を行うことで、システム性能を向上させることができる。
【００４９】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００５０】
４０１      ＭＭＥ
４０２      ｅＮｏｄｅＢ
４０１１    取得ユニット
４０１２    通知ユニット
４０１２１  第１通知サブユニット
４０１２２  第２通知サブユニット
【図１】
2011520364.tif 000007
【図２】
2011520364.tif 000008
【図３】
2011520364.tif 000009
【図４】
2011520364.tif 000010
【図５】
2011520364.tif 000011
【手続補正書】
【提出日】平成23年1月4日(2011.1.4)
【手続補正１】
【補正対象書類名】特許請求の範囲
【補正対象項目名】全文
【補正方法】変更
【補正の内容】
【特許請求の範囲】
【請求項１】
ユーザ情報通知方法であって、
移動管理エンティティ（ＭＭＥ）が取得されたユーザ端末（ＵＥ）の無線アクセス技術（ＲＡＴ）／周波数選択（Ｆｒｅｑｕｅｎｃｙ  Ｓｅｌｅｃｔｉｏｎ）優先度情報を進化基地局（ｅＮｏｄｅＢ）に通知するステップ、
を含むことを特徴とする方法。
【請求項２】
前記ＭＭＥで取得されたＲＡＴ／Ｆｒｅｑｕｅｎｃｙ  Ｓｅｌｅｃｔｉｏｎ優先度情報は、ホーム加入者サーバ（ＨＳＳ）から受信されたＲＡＴ／Ｆｒｅｑｕｅｎｃｙ  Ｓｅｌｅｃｔｉｏｎ優先度情報である、ことを特徴とする請求項１に記載の方法。
【請求項３】
前記ＭＭＥが取得されたＵＥのＲＡＴ／Ｆｒｅｑｕｅｎｃｙ  Ｓｅｌｅｃｔｉｏｎ優先度情報をｅＮｏｄｅＢに通知するステップは、
前記ＵＥが初期アタッチ（ａｔｔａｃｈ）過程、追跡エリア更新（ＴＡＵ）過程を実行し、またはアイドル（ＩＤＬＥ）状態からアクティブ（Ａｃｔｉｖｅ）状態に遷移するとき、前記ＭＭＥが初期コンテキスト設定要求（Ｉｎｉｔｉａｌ  Ｃｏｎｔｅｘｔ  Ｓｅｔｕｐ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知し、
前記ＵＥがＡｃｔｉｖｅ状態にあるとき、前記ＭＭＥがユーザ端末コンテキスト修正要求（ＵＥ  Ｃｏｎｔｅｘｔ  Ｍｏｄｉｆｉｃａｔｉｏｎ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知するステップ、
を含むことを特徴とする請求項１または２に記載の方法。
【請求項４】
前記ＭＭＥがＩｎｉｔｉａｌ  Ｃｏｎｔｅｘｔ  Ｓｅｔｕｐ  Ｒｅｑｕｅｓｔメッセージを介して、前記取得されたＲＡＴ／Ｆｒｅｑｕｅｎｃｙ  Ｓｅｌｅｃｔｉｏｎ優先度情報を前記ｅＮｏｄｅＢに通知するステップは、
前記ＭＭＥが前記ｅＮｏｄｅＢへＲＡＴ／周波数選択優先度（Ｆｒｅｑｕｅｎｃｙ  Ｓｅｌｅｃｔｉｏｎ  Ｐｒｉｏｒｉｔｙ）パラメータ付きのＩｎｉｔｉａｌ  Ｃｏｎｔｅｘｔ  Ｓｅｔｕｐ  Ｒｅｑｕｅｓｔメッセージを送信することを含み、
前記ＭＭＥがＵＥ  Ｃｏｎｔｅｘｔ  Ｍｏｄｉｆｉｃａｔｉｏｎ  Ｒｅｑｕｅｓｔメッセージを介して、前記取得されたＲＡＴ／Ｆｒｅｑｕｅｎｃｙ  Ｓｅｌｅｃｔｉｏｎ優先度情報を前記ｅＮｏｄｅＢに通知するステップは、
前記ＭＭＥが前記ｅＮｏｄｅＢへＲＡＴ／Ｆｒｅｑｕｅｎｃｙ  Ｓｅｌｅｃｔｉｏｎ  Ｐｒｉｏｒｉｔｙパラメータ付きのＵＥ  Ｃｏｎｔｅｘｔ  Ｍｏｄｉｆｉｃａｔｉｏｎ  Ｒｅｑｕｅｓｔメッセージを送信するステップ、
を含むことを特徴とする請求項３に記載の方法。
【請求項５】
前記ｅＮｏｄｅＢは受信されたＵＥのＲＡＴ／Ｆｒｅｑｕｅｎｃｙ  Ｓｅｌｅｃｔｉｏｎ優先度情報を保存するステップをさらに含むことを特徴とする請求項１に記載の方法。
【請求項６】
ユーザ情報通知システムであって、
取得されたユーザ端末（ＵＥ）の無線アクセス技術（ＲＡＴ）／周波数選択（Ｆｒｅｑｕｅｎｃｙ  Ｓｅｌｅｃｔｉｏｎ）優先度情報をｅＮｏｄｅＢに通知する移動管理エンティティ（ＭＭＥ）と、
前記ＭＭＥからのＵＥのＲＡＴ／Ｆｒｅｑｕｅｎｃｙ  Ｓｅｌｅｃｔｉｏｎ優先度情報を受信する進化基地局（ｅＮｏｄｅＢ）と、
を含むことを特徴とするシステム。
【請求項７】
前記ＭＭＥは、前記ＵＥが初期アタッチ（ａｔｔａｃｈ）過程、追跡エリア更新（ＴＡＵ）過程を実行し、またはアイドル（ＩＤＬＥ）状態からアクティブ（Ａｃｔｉｖｅ）状態に遷移するとき、初期コンテキスト設定要求（Ｉｎｉｔｉａｌ  Ｃｏｎｔｅｘｔ  Ｓｅｔｕｐ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知し、前記ＵＥがＡｃｔｉｖｅ状態にあるとき、ユーザ端末コンテキスト修正要求（ＵＥ  Ｃｏｎｔｅｘｔ  Ｍｏｄｉｆｉｃａｔｉｏｎ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知することを特徴とする請求項６に記載のシステム。
【請求項８】
ユーザ情報通知装置であって、
ユーザ端末（ＵＥ）の無線アクセス技術（ＲＡＴ）／周波数選択（Ｆｒｅｑｕｅｎｃｙ  Ｓｅｌｅｃｔｉｏｎ）優先度情報を取得する取得ユニットと、
前記取得されたＵＥのＲＡＴ／Ｆｒｅｑｕｅｎｃｙ  Ｓｅｌｅｃｔｉｏｎ優先度情報を進化基地局（ｅＮｏｄｅＢ）に通知する通知ユニットと、
を含むことを特徴とする装置。
【請求項９】
前記通知ユニットは、
前記ＵＥが初期アタッチ（ａｔｔａｃｈ）過程、追跡エリア更新（ＴＡＵ）過程を実行し、またはアイドル（ＩＤＬＥ）状態からアクティブ（Ａｃｔｉｖｅ）状態に遷移するとき、初期コンテキスト設定要求（Ｉｎｉｔｉａｌ  Ｃｏｎｔｅｘｔ  Ｓｅｔｕｐ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知する第１通知サブユニットと、
前記ＵＥがＡｃｔｉｖｅ状態にあるとき、ユーザ端末コンテキスト修正要求（ＵＥ  Ｃｏｎｔｅｘｔ  Ｍｏｄｉｆｉｃａｔｉｏｎ  Ｒｅｑｕｅｓｔ）メッセージを介して、前記取得されたＲＡＴ／Ｆｒｅｑｕｅｎｃｙ  Ｓｅｌｅｃｔｉｏｎ優先度情報を前記ｅＮｏｄｅＢに通知する第２通知サブユニットと、
を含むことを特徴とする請求項８に記載の装置。
【国際調査報告】
2011520364.tif 000012
2011520364.tif 000013
2011520364.tif 000014
2011520364.tif 000015